(57)【特許請求の範囲】
【請求項１】
被記録材に記録を行う記録ヘッドを搭載して主走査方向に移動可能なキャリッジと、
該キャリッジに配され、該キャリッジに対する第１の位置と該第１の位置よりも前記キャリッジから突出する第２の位置とに移動可能な摺動部材と、
該摺動部材が前記第１の位置にある場合は前記キャリッジが当接し、前記摺動部材が前記第２の位置にある場合は前記摺動部材が当接する第１の面と、該第１の面の裏面の第２の面を有し、前記キャリッジの前記主走査方向の移動を案内するガイド部材と、
前記キャリッジに配され、前記第２の面と対向する位置に設けられた規制部と、
前記記録ヘッドの回復処理を行う回復部と、
前記記録ヘッドの回復命令を受けると、前記キャリッジを前記回復部へ移動させる制御手段と、
を備え、前記摺動部材が前記第１の面と当接する場合は、前記キャリッジが前記第１の面と当接する場合と比較して前記規制部と前記第２の面との距離が小さくなる記録装置であって、
前記キャリッジに配され、前記主走査方向に沿って前記キャリッジに対して相対移動することにより、前記摺動部材を前記第１の位置と前記第２の位置との間で移動させる切替部材を備え、
前記制御手段は、前記回復命令を受けたときに前記摺動部材が前記第１の位置にある場合は、前記切替部材を前記キャリッジに対して相対移動させることにより前記摺動部材を前記第２の位置に移動させた後に、前記キャリッジを前記回復部へ移動させることを特徴とする記録装置。
【請求項２】
前記キャリッジを前記主走査方向に移動させて前記切替部材を装置本体に突き当てることにより、前記切替部材を相対移動させることを特徴とする請求項１に記載の記録装置。
【請求項３】
前記記録ヘッドと対向する位置で被記録材を支持するプラテンを備え、前記摺動部材を前記第１の位置と前記第２の位置との間で移動させることにより、前記キャリッジを前記プラテンに支持された被記録材と直交する方向で移動させることを特徴とする請求項１または２に記載の記録装置。
【請求項４】
前記摺動部材が前記第１の面と当接する場合は、前記キャリッジが前記第１の面と当接する場合と比較して前記記録ヘッドと前記プラテンとの距離が大きくなることを特徴とする請求項３に記載の記録装置。
【請求項５】
前記摺動部材を前記プラテンから離れる方向に付勢するバネを備えることを特徴とする請求項３または４に記載の記録装置。
【請求項６】
前記切替部材を前記キャリッジに対して相対移動させたときに前記切替部材に設けられたカム面により前記摺動部材を前記プラテンに近づく方向に移動させることを特徴とする請求項５に記載の記録装置。
【請求項７】
前記記録ヘッドは、インクを吐出して被記録材に記録を行うインクジェット記録ヘッドであることを特徴とする請求項１ないし６のいずれか１項に記載の記録装置。
【発明の詳細な説明】
【技術分野】
【０００１】
本発明は、被記録材に沿って移動可能なキャリッジに搭載された記録ヘッドにより被記録材に画像を記録する記録装置に関し、詳しくは、記録ヘッドと被記録材のギャップを切り替えることができる記録装置に関する。
【背景技術】
【０００２】
一般に、プリンタ、複写機あるいはファクシミリ等の機能を有する記録装置は、画像情報に基づいて記録ヘッドにより、被記録材である紙、布、プラスチックシート、ＯＨＰ用シート、封筒などに画像（文字や記号等を含む）を形成するように構成される。記録装置における走査方式にはシリアルタイプとラインタイプがある。シリアルタイプは、記録ヘッドを被記録材に沿って移動させる主走査と被記録材を所定ピッチで搬送する副走査とを交互に繰り返しながら画像を記録していく方式である。ラインタイプは、一括して１ライン分を記録しながら被記録材の搬送（副走査）のみで画像を記録していく方式である。また、記録装置は、記録方式によって、インクジェット式、熱転写式、レーザービーム式、感熱式、ワイヤドット式などに分けることができる。上記シリアルタイプの記録装置の場合、一般に、記録ヘッドは主走査方向に移動するキャリッジ上に搭載され、キャリッジの移動に同期して記録ヘッドを駆動することにより画像を記録していく。そして１ライン分の記録と所定量の紙送りとを交互に繰り返すことにより、被記録材全体の記録が行われる。
【０００３】
特許文献１には、キャリッジユニットの上部に、装置本体のシャーシと摺動可能でかつ回転可能に支持された摺動部材を取り付ける構成が開示されている。この摺動部材には、回転中心からの距離が異なる複数の面が形成されている。そして、摺動部材を回転させてシャーシとの摺動面を切り替えることにより、キャリッジをガイドシャフト中心に回転させ、これによって、被記録材と記録ヘッドとの紙間ギャップを切り替えている。こうすることで、封筒などの厚い被記録材を記録するときには、記録ヘッドと被記録材との紙間ギャップを広くし、光沢紙などの特殊紙に記録するときには狭くすることができる。
【０００４】
特許文献２には、ガイドシャフトの両端にカムを設けるとともに、装置本体のシャーシにカム当接面を設け、さらに、ガイドシャフトをシャーシに対して副走査方向に位置決めした状態で上下方向に変位可能とする構成が開示されている。こうすることで、カムを回転駆動することにより、ガイドシャフトの副走査方向の位置を変化させずに、キャリッジの高さ位置を変化させることができる。
【０００５】
特許文献３では、キャリッジはガイド軸によって支持される構成である。回転方向の規制はキャリッジ上部のガイドレール部により行い、ガイドレールと当接する当接部材の面を切り換えることによって紙間を変更する機構である。
【０００６】
また、特許文献４に示されるように、利用者が紙間切換の為のレバーを操作し、板金レールでキャリッジ部を支持してガイド軸を用いない構成のキャリッジ構成などの発明も提案されている。
【特許文献１】特開平７−２７６７３６号公報
【特許文献２】特開２００４−４２３４６号公報
【特許文献３】特開２００２−９６５２８号公報
【特許文献４】特開２００５−３２９５６５号公報
【発明の開示】
【発明が解決しようとする課題】
【０００７】
上記構成の記録装置において、記録ヘッドの吐出特性を回復するため回復処理部による回復動作が実行される。インク吸引や記録ヘッドの吐出面のワイピングといった動作が安定的に行われる必要がある。しかしながら、記録ヘッドと被記録材との紙間ギャップを切り換える構成の場合、切換機構が複雑となるため、コストが上がるとともに装置の小型化が困難であった。
【０００８】
特許文献４のキャリッジ部の支持を板金レールで行う構成の場合、回復処理部による回復動作の際のキャリッジ部の姿勢を安定化させるための機構がキャリッジ部とシャーシ部に設けられている。本構成は、ガイドシャフトの代わりに板金レールを用いたことでコストを下げることができるが、上記姿勢安定化のための機構を小スペースに盛り込む必要があるため、記録ヘッドの着脱性との両立が難しかった。
【０００９】
このような事情に鑑みて、本発明の目的は、簡単かつ安価な構成で記録ヘッドの回復動作を適切に行うことができる記録装置を提供することである。
【課題を解決するための手段】
【００１０】
本発明は、上記目的を達成するため、被記録材に記録を行う記録ヘッドを搭載して主走査方向に移動可能なキャリッジと、該キャリッジに配され、該キャリッジに対する第１の位置と該第１の位置よりも前記キャリッジから突出する第２の位置とに移動可能な摺動部材と、該摺動部材が前記第１の位置にある場合は前記キャリッジが当接し、前記摺動部材が前記第２の位置にある場合は前記摺動部材が当接する第１の面と、該第１の面の裏面の第２の面を有し、前記キャリッジの前記主走査方向の移動を案内するガイド部材と、前記キャリッジに配され、前記第２の面と対向する位置に設けられた規制部と、前記記録ヘッドの回復処理を行う回復部と、前記記録ヘッドの回復命令を受けると、前記キャリッジを前記回復部へ移動させる制御手段と、を備え、前記摺動部材が前記第１の面と当接する場合は、前記キャリッジが前記第１の面と当接する場合と比較して前記規制部と前記第２の面との距離が小さくなる記録装置であって、前記キャリッジに配され、前記主走査方向に沿って前記キャリッジに対して相対移動することにより、前記摺動部材を前記第１の位置と前記第２の位置との間で移動させる切替部材を備え、前記制御手段は、前記回復命令を受けたときに前記摺動部材が前記第１の位置にある場合は、前記切替部材を前記キャリッジに対して相対移動させることにより前記摺動部材を前記第２の位置に移動させた後に、前記キャリッジを前記回復部へ移動させることを特徴とする。
【発明の効果】
【００１１】
本発明によれば、簡単かつ安価な構成で、良好な記録ヘッドの回復動作を行うことができる記録装置及び回復方法を提供することができる。
【発明を実施するための最良の形態】
【００１２】
以下、図面を参照して本発明の実施形態を具体的に説明する。なお、各図面を通して同一符号は同一又は対応部分を示すものである。
【００１３】
また、本明細書において被記録材を支持するプラテン３４と記録ヘッド７との距離を「紙間距離」と称する。記録ヘッド７を搭載するキャリッジ５０とガイドレール５２の下面５２ａとの距離を「規制部距離」と称する。
【００１４】
また、封筒のような厚紙以外の被記録材に記録を行うときのキャリッジユニット５ａの位置を「通常ポジション」と称する。この通常ポジションのときの紙間距離を「通常の紙間距離」と称する。一方、封筒のような厚紙の被記録材に記録を行うときのキャリッジユニット５ａの位置を「厚紙ポジション」と称する。
【００１５】
また、本明細書においては、規制部距離が大きい状態を「第１の距離」と称し、規制部距離が小さい状態を「第２の距離」と称する場合がある。
【００１６】
図１は本発明による記録装置の一実施形態の斜視図である。図２は本発明による記録装置の一実施形態の縦断面図である。なお、図１及び図２は、記録装置がインクジェット記録装置である場合を例示している。本実施形態に係る記録装置１は、給紙部２、送紙部３、排紙部４、記録部５及び回復処理部６（回復部）を備えている。記録部５は記録手段を構成するものであり、本実施形態に係るシリアルタイプの記録装置では往復移動可能なキャリッジ５０に搭載された記録ヘッド７により、被記録材を走査しながら画像を形成していくように構成されている。また、装置本体には、制御部２００を搭載した電気基板等からなる不図示の電気部９が取り付けられている。
【００１７】
まず、給紙部２について説明する。給紙部２は、記録用紙等の被記録材を積載する圧板２１、被記録材を給送する給紙ローラ２８、被記録材を１枚ずつに分離する分離ローラ２４１、被記録材を積載位置に戻すための戻しレバー２２などを給紙ベース２０に取り付けて構成されている。給紙ベース又は装置外装（不図示）には、給紙するための被記録材を積載して保持する給紙トレイ（不図示）が取り付けられている。給紙ローラ２８は、断面円弧状をしており、被記録材の幅方向位置を規制するための基準面に近い方の位置に配設されている。給紙ローラ２８の駆動は、給紙部２に設けられた後述する送紙部３の駆動源であるＬＦモータ（不図示）からギア列を介して伝達される。
【００１８】
圧板２１には、被記録材の積載位置を規制するための可動サイドガイド２３が移動可能に設けられている。圧板２１は給紙ベース２０に設けられた回転軸を中心に回転可能であり、圧板バネ２１２により給紙ローラ２８に向けて付勢されている。給紙ローラ２８と対向する圧板２１の部位には、被記録材の重送を防止するための摩擦係数の大きい材質からなる分離シート２１３が設けられている。圧板２１は、圧板カム（不図示）によって給紙ローラ２８に押圧、離間するように駆動される。給紙ベース２０には、分離ローラ２４１が取り付けられた分離ローラホルダ２４が回転可能に軸支され、分離ローラバネ（不図示）により分離ローラ２４１を給紙ローラ２８に付勢するように構成されている。
【００１９】
分離ローラ２４１は、トルクリミッタとしてのクラッチバネ（不図示）を有し、負荷トルクが所定以上のときに回転する。また、分離ローラ２４１は、分離ローラリリースシャフト（不図示）とコントロールカム（不図示）によって、給紙ローラ２８に押圧、離間可能に支持されている。給紙ベース２０の給紙ローラ２８の近傍位置には、最上層以外の被記録材を積載位置に戻すための戻しレバー２２が回転可能に取り付けられている。戻しレバー２２は、戻しレバーバネ（不図示）で解除方向に付勢されており、コントロールカム（不図示）によって回転されることで被記録材を戻すことができる。通常の待機状態では、圧板２８は圧板カムでリリースされており、分離ローラ２４１はコントロールカム（不図示）でリリースされている。戻しレバー２２は、積載された被記録材を奥へ押し込むことがないように、積載口を塞ぐ位置に設けられている。
【００２０】
この待機状態から、給紙動作が始まると、モータの駆動により、まず分離ローラ２４１が給紙ローラ２８に圧接される。そして、戻しレバー２２がリリースされ、圧板２１が給紙ローラ２８に押圧される。この状態で被記録材の給紙が開始される。被記録材は分離ローラホルダ２４に設けられた前段分離部で制限されることにより、所定枚数のみが給紙ローラ２８と分離ローラ２４１のニップ部へ送り出される。送り出された被記録材は、このニップ部で分離され、最上位の被記録材のみが送紙部３の搬送ローラ３６へ向けて給送される。被記録材が搬送ローラ３６とピンチローラ３７のニップ部に到達すると、圧板２１は圧板カム（不図示）によってリリースされ、分離ローラ２４１はコントロールカム（不図示）によってリリースされる。また、戻しレバー２２はコントロールカム（不図示）によって積載位置に戻される。このとき、給紙ローラ２８と分離ローラ２４１のニップ部に到達していた被記録材は、戻しレバーの戻り移動により積載位置まで戻すことができる。
【００２１】
次に、送紙部３について説明する。送紙部３は、被記録材を搬送する搬送ローラ３６及び不図示のＰＥ（紙端検知）センサなどを備えている。搬送ローラ３６は、金属軸の表面にセラミックの微小粒をコーティングした構造を有し、両端の金属部分をシャーシ１１側の軸受３８で回転可能に軸支されている。軸受３８と搬送ローラ３６との間には、搬送ローラ３６に所定の負荷トルクを与えるためのローラテンションバネ（不図示）が装着されている。これにより、搬送ローラ３６の回転を安定させ、安定した搬送を行うことができる。
【００２２】
搬送ローラ３６には、複数のピンチローラ３７が従動回転可能に押圧されている。各ピンチローラ３７は、ピンチローラホルダ３０に保持され、ピンチロラバネ（不図示）により搬送ローラ３６に向けて圧接可能に押圧されている。これにより、被記録材の搬送力を生み出している。この場合、ピンチローラホルダ３０の回転軸がシャーシ１１の軸受に回転自在に取り付けられている。ピンチローラホルダ３０には、被記録材の先端及び後端の検出をＰＥセンサ（不図示）に伝えるセンサレバー３１が設けられている。搬送ローラ３６の搬送方向下流側には、記録時の被記録材を案内支持するためのプラテン３４が配置されている。プラテン３４はシャーシ１１に取り付けられている。
【００２３】
給紙部２から給送される被記録材は、ピンチローラホルダ３０に案内されながら搬送ローラ３６とピンチローラ３７のニップ部へ送り込まれる。この時、搬送ローラ３６は未だ停止しており、被記録材の先端がニップ部に衝突した状態でさらに所定量だけ給送することで、被記録材の頭出し（レジ取り）が行われる。また、この時、センサレバー３１で被記録材の先端を検知し、被記録材の記録開始位置を求めている。そして、ＬＦモータで搬送ローラ３６を回転させ、被記録材をプラテン３４上の記録開始位置まで搬送する。プラテン３４上には、搬送基準面となるリブが形成されている。このリブの配置構成によって、被記録材と記録ヘッド７との紙間距離を管理するとともに、後述の排紙部４と協働して被記録材の波打ちを規制している。
【００２４】
搬送ローラ３６の駆動は、ＤＣモータからなるＬＦモータ（不図示）の回転を、タイミングベルト（不図示）を介して、ローラ軸に設けたプーリ３６１に伝達することにより行われる。また、搬送ローラ３６のローラ軸には、搬送量を検出するためのコードホイール３６２が設けられている。コードホイール３６２の外周部には、円弧長さ１インチ当たり１５０〜３００本のピッチでマーキングが形成されている。このマーキングを読み取るためのエンコーダセンサ（不図示）は、コードホイール３６２に隣接する位置でシャーシ１１に取り付けられている。
【００２５】
次に、記録部５について説明する。搬送ローラ３６の搬送方向下流側であって、プラテン３４と対向する位置に、画像を形成する記録ヘッド７が設けられている。記録ヘッド７は、被記録材の幅方向に往復移動可能なキャリッジ５０に搭載されている。つまり、本実施形態に係る記録装置はシリアルタイプの記録方式を採るものである。記録部５は、キャリッジ５０に記録ヘッド７等を搭載して構成されるキャリッジユニット５０ａ、及びキャリッジユニット５ａ（又はキャリッジ５０）の駆動機構などで構成されている。また、記録部５は、記録ヘッドと対向する位置で被記録材を案内支持するプラテン３４などで構成されている。また、本実施形態における記録ヘッド７としては、カラー記録が可能なインクジェット記録ヘッドが用いられている。このため、記録ヘッド７はインク色に対応した複数の記録ヘッドで構成されている。各記録ヘッドのそれぞれには、別体のインクタンク７１が交換可能に装着されている。
【００２６】
記録ヘッド７は、画像情報に基づいて吐出口から被記録材へインクを吐出して画像を記録するインクジェット記録ヘッドである。記録ヘッドのインク吐出部（吐出口が配列された吐出面）と被記録材の記録面との間には、インク滴を飛翔させるための所定の距離（例えば０．５ｍｍ〜３．０ｍｍ程度）を設ける必要がある。また、被記録材としては、インク滴を着弾させて画像を形成できるものであれば、紙、布、プラスチックシート、ＯＨＰ用シート、封筒など、種々の材質及び形態のものを使用することができる。また、記録ヘッド７のインク吐出方式にも、吐出エネルギー発生手段として電気熱変換体を用いるもの、電気機械変換体を用いるものなど種々の方式があるが、いずれの方式を採用しても良い。例えば、本実施形態における記録ヘッド７としては、そのうちでも、電気熱変換体のヒータ等により吐出口内のインクを加熱し、この熱によるインクの膜沸騰を利用してインクを吐出するものが使用されている。つまり、記録ヘッド７は、加熱によってインク中に生成される気泡の成長又は収縮によって生じる圧力変化によって、記録ヘッド７の各吐出口から選択的にインクが吐出することで、被記録材に画像を記録するものである。
【００２７】
キャリッジ５０に記録ヘッド７等を搭載することでキャリッジユニット５０ａが構成されている。記録ヘッド７は、ヘッドセットレバー５１により、キャリッジ５０上の所定位置に位置決め保持されている。キャリッジユニット５ａは、装置本体に設けられたガイド部材（ガイドレール）５２と装置本体のシャーシ１１の摺動部１１１とによって、被記録材の搬送方向（副走査方向）と交差する（通常、直交する）主走査方向に往復移動可能に案内支持されている。この場合、キャリッジ５０の上端部に設けた当接面５０ｅがシャーシ１１の摺動部１１１に当接した状態で案内支持されている。
【００２８】
図３は図２中のキャリッジユニット５ａの側面図である。図４は図３のキャリッジユニット５ａの後面図である。図１〜図４において、キャリッジユニット５ａのガイド部材であるガイドレール５２は略Ｌ字形状の断面を有する。そして、キャリッジ５０には、ガイドレール５２と摺動可能な摺動部材５８が取り付けられている。この摺動部材５８は、キャリッジ５０に対し上下方向に相対変位可能に取り付けられている。また、摺動部材５８は、ガイドレール５２に対するキャリッジ５０の副走査方向の姿勢を安定させるための部材であり、このため、摺動部材５８を被記録材搬送方向下流側へ付勢するためのバネ５８１が設けられている。つまり、ガイドレール５２をバネ５８１の付勢力によってキャリッジ５０と摺動部材５８との間に挟み込むことにより、キャリッジ５０の副走査方向の姿勢を安定化させている。
【００２９】
キャリッジ５０の下部にはガイドレール５２の水平部に当接可能な摺動面（高さ方向摺動面）５０ｂが形成されている。また、摺動部材５８の下部にもガイドレール５２の水平部に当接可能な摺動面（高さ方向摺動面）５８ｂが形成されている。これらの高さ方向摺動面５０ｂ、５８ｂは、キャリッジ５０の自重によってガイドレール５２に当接することにより、キャリッジ５０の上下方向の位置を規制することができる。また、キャリッジ５０の上端部の当接面５０ｅをシャーシ１１の摺動部１１１に当接させることにより、キャリッジ５０の回転方向の姿勢を安定化している。なお、キャリッジ５０の位置調整は、ガイドレール５２のシャーシ１１に対する取り付け位置を工場で調整することにより行われる。
【００３０】
キャリッジ５０の下部であって、高さ方向摺動面５０ｂに対向する位置に規制部２６が形成されている。規制部２６は、走査時や物流行為等において、キャリッジ５０がガイドレール５２から脱落しないようにするためのものである。規制部２６は被記録材に対して垂直方向に移動可能なキャリッジ５０の垂直上方向の移動を規制することで、キャリッジ５０がガイドレール５２から脱落するのを防止する。つまり、規制部２６がガイドレール５２の下部（下面５２ａ）に当接することで脱落が防止される。
【００３１】
規制部２６は、ガイドレール５２の下面５２ａとの間に隙間が形成されるように設けられているが、上述したように本実施形態ではこの隙間を規制部距離と称する（図１２及び図１３参照）。なお、紙間距離と規制部距離とは相反する関係にある。すなわち、紙間距離が大きい場合（厚紙ポジション）には規制部距離は小さくなる（第２の距離）。また、紙間距離が小さい場合（通常ポジション）には規制部距離は大きくなる（第１の距離）。
【００３２】
さらに、この規制部２６は、規制部距離を小さく（第２の距離）することで、キャリッジ５０の傾きを抑制し、記録ヘッドの回復動作の実行時においてその信頼性を安定させる機能を有する。
【００３３】
キャリッジ５０にはキャリッジカバー５３が取り付けられる。キャリッジカバー５３は、ユーザーが記録ヘッド７をキャリッジに装着する際の案内部材として機能する。同時に、インクタンク７１を保持する部材としても機能する。キャリッジ５０は、シャーシ１１に取り付けられたキャリッジモータ５４により、タイミングベルト５５を介して駆動される。このタイミングベルト５５は、キャリッジモータ５４の反対側に配設されたアイドルプーリ５６によって、一定の張力を付与されて張架されている。タイミングベルト５５はキャリッジ５０に連結されている。キャリッジ５０の位置を検出するためのコードストリップ５７がタイミングベルト５５と平行に張設されている。このコードストリップには、例えば１インチ当たり１５０〜３００本のピッチでマーキングが形成されている。キャリッジ５０上には、コードストリップ５７を読み取るためのエンコーダセンサ（不図示）が搭載されている。
【００３４】
摺動部材５８は、後述するようにキャリッジ５０に対して上下方向に相対変位することで、ガイドレール５２に対するキャリッジ５０の高さ位置を切り替えるものである。このキャリッジ５０の高さ位置の切り替えにより、記録ヘッド７と被記録材との間の距離、または記録ヘッド７とプラテン３４との間の距離である紙間距離を切り替えることができる。
【００３５】
次に、排紙部４について説明する。排紙部４は、記録ヘッド７より搬送方向下流側に配置された排紙ローラ４０、排紙ローラ４０に所定圧で当接して従動回転可能な拍車４２、搬送ローラ３６の駆動を排紙ローラ４０に伝達するためのギア列、などを備えている。本実施形態では、排紙ローラ４０はプラテン３４に取り付けられている。排紙ローラ４０は、金属軸に複数のローラゴム部を設けた構造になっている。排紙ローラ４０は、搬送ローラ３６の駆動がアイドラギアを介して伝達されることで、搬送ローラ３６と同期駆動される。排紙ローラ４０の複数のローラゴム部に対応して複数の拍車４２が設けられている。各拍車４２は、周囲に複数の突起部を形成したＳＵＳの薄板を樹脂部と一体成型した構造を有する。この拍車４２は、棒状のコイルバネからなる拍車バネ（不図示）によって拍車ホルダ４３に取り付けられている。また、この拍車バネによって、拍車４２は排紙ローラ４０に圧接されている。
【００３６】
複数の拍車４２には、機能から見て２種類に分けられる。その一つは、各ローラゴム部に押圧されることで主に被記録材の搬送力を生み出すものである。もう一つは、各ローラゴムの間に配置されることで主に被記録材の記録時の浮き上がりを抑えるものである。また、拍車ホルダ４３の変形及びシャーシ１１の変形を抑えるために、板状の金属部材からなる拍車ステイ４４が取り付けられている。以上の構成によって、記録部５で画像を形成された被記録材は、排紙ローラ４０と拍車４２とのニップ部に挟まれて搬送され、装置本体外の排紙トレイ（不図示）へ排出される。
【００３７】
次に、回復処理部６（回復部）について説明する。図６及び図７に回復処理部６の斜視図を示す。また、図８に回復動作における制御系の制御ブロック図を示す。
【００３８】
インクジェット記録装置では、記録ヘッドの吐出口の目詰まりを防止するとともに、記録特性、すなわち、インク吐出性能を維持回復するための回復処理部６が設けられている。
【００３９】
回復処理部６は、吸引ポンプ６０、キャップ６１、ワイパー６２、モータ９０及びキャリッジロック部材９１を備えている。キャップ６１は記録ヘッド７の吐出面に密着、封止して吐出口を覆うことで記録ヘッドのインク乾燥を低減する。吸引ポンプ６０は、キャップ６１で吐出口を密閉した状態で作動することで、吐出口からインクを吸引し、吐出口内のインクをリフレッシュする。ワイパー６２は、記録ヘッドの吐出面を拭き取り清掃する。吸引ポンプ６０としては、キャップ６１に接続されたチューブをしごくことにより、該チューブ内に発生する負圧を吐出口に作用させるチューブポンプが使用される。モータ９０は回復処理部６の駆動源である。キャリッジロック部材９１は、キャリッジ５０と、回復処理部６との主走査方向位置決めを行う。
【００４０】
制御部２００は、記憶部２０１に記憶された現時点の紙間距離の状態、現時点の規制部距離の状態、あるいは検出部９２からの検出結果に基づき、モータ９０及び吸引ポンプ６０を駆動する。本実施形態のインクジェット記録装置は後述するように規制部距離が第１の距離及びこの第１の距離よりも小さい第２の距離のいずれかを選択可能な構成となっている。制御部２００は、回復処理部６による回復動作時の規制部距離として第２の距離を選択する。検出部９２は、キャッピングがなされているか否かの検出、紙間距離が通常ポジションにあるのか厚紙ポジションにあるのかを検出する。
【００４１】
図５は図３中のキャリッジと摺動部材の斜視図である。図９は図３中のキャリッジと摺動部材と切替部材の斜視図である。図１０は紙間距離を小さくしたときの背面図である。図１１は紙間距離を大きくしたときの背面図である。図１２は紙間距離を小さくしたときの側面図である。図１３は紙間距離を大きくしたときの側面図である。次に、図１〜図１１を用いて、記録ヘッド７とプラテン３４との間の距離（紙間距離）を切り替えるための摺動部材５８の構成及び動作を説明する。図３〜図１１において、キャリッジ５０は、シャーシ１１に設けられたガイドレール５２及び摺動部１１１によって安定した姿勢で往復移動できるように案内支持されている。
【００４２】
図３に示すように、キャリッジ５０の搬送方向上流側の背面には、断面Ｌ字状の摺動部材５８がＬ字の垂直面を上流側にして上下方向に相対変位可能に取り付けられている。キャリッジ５０と摺動部材５８との間には、摺動部材５８をキャリッジ５０に対して搬送方向下流側へ向けて（図３中の左向き方向に）付勢するためのバネ５８１が取り付けられている。このバネ５８１の付勢力によって、シャーシ１１に設けられたガイドレール５２を、キャリッジ５０の搬送方向摺動面５０ａと摺動部材５８の搬送方向摺動面５８ａとで挟持している両側から挟み込んでいる。これによって、キャリッジ５０の下部の搬送方向の位置を規制し、該キャリッジの姿勢を安定化させている。
【００４３】
また、ガイドレール５２に対するキャリッジ５０の上下方向の高さ位置については、キャリッジ５０の自重によってキャリッジ５０の下部又は摺動部材５８の下部がガイドレール５２に当接することによって、切替可能に設定されている。つまり、紙間距離を小さい値に設定する場合は、図３に示すようにキャリッジ７の高さ方向摺動面５０ｂをガイドレール５２の水平部に当接させる。この状態で、キャリッジユニット５ａをガイドレール５２及び摺動部１１１に沿って移動させながら、電気部９からの信号により、記録ヘッド７から被記録材へインクを吐出して画像を形成する。この状態は、封筒のような厚紙以外の被記録材に対して記録を行う状態であり、画像品位が求められる場合に用いられる。このときのキャリッジユニット５ａの位置を通常ポジションと称し、このときの紙間距離を「通常の紙間距離」と称する。
【００４４】
この通常ポジションの状態について、以下にさらに説明する。このとき、摺動部材５８は、摺動部材用のバネ５８１により搬送方向に付勢され、搬送方向では摺動面５８ａの部位でガイドレール５２に対し摺動可能に当接している。一方、高さ方向では、摺動部材の摺動面５８ｂがキャリッジの摺動面５０ｂよりも高い位置にあるため、摺動部材５８はガイドレール５２と接触していない。すなわち、摺動部材５８はキャリッジ５０に対して突出しない第１の位置にある。また、摺動部材５８とキャリッジ５０との間には、図４に示すように、キャリッジ移動方向に相対的に移動可能な切替部材５８３が装着されている。そこで、図３〜図５に示すように、この通常ポジションの状態では、摺動部材５８は、キャリッジ５０との間に装着された上向き付勢バネ３５２により上昇位置に保持されている。このため、この状態では、摺動部材５８（その摺動面５８ｂ）がガイドレール５２に接触することはない。また、摺動部材５８は、両側部分に取り付けられた付勢バネ５８２により下向きにも付勢されており、高さ方向のうち下向き方向にもキャリッジ５０と当接して位置決めされている。また、摺動部材５８は、この両側の付勢バネ５８２の箇所で、キャリッジ５０に対して主走査方向に位置決めされている。
【００４５】
キャリッジ５０の背面近傍には、キャリッジ５０と摺動部材５８との間でキャリッジ移動方向に相対的に移動可能な切替部材５８３が装着されている。この切替部材５８３は、搬送方向と交差する方向（主走査方向）に細長い部材であり、その長さ方向に相対移動可能である。また、切替部材５８３は、キャリッジ５０の移動によりその両端部５８３ａ、５８３ｂが装置本体の一部（図示の例ではシャーシ１１の側面）に突き当たることにより、相対的な移動方向の位置を規制できるものである。すなわり、切替部材５８３はキャリッジ５０に対して相対移動する。切替部材５８３は、搬送方向では、図９に示すようにキャリッジ５０と摺動部材５８の間に挟まれることで位置決めされている。また、切替部材５８３の高さ方向の位置は、上向き方向にはキャリッジ５０に当接することにより位置決めされ、下向き方向には摺動部材５８に当接することで位置決めされる。この位置決めは、キャリッジ５０と摺動部材５８との間に作用するバネ付勢力によって安定化されている。
【００４６】
次に、上記構成の摺動部材５８及び切替部材５８３による記録ヘッド７とプラテン３４との紙間距離の切替動作を、図１０〜図１３を用いて具体的に説明する。図１０及び図１２は、キャリッジユニット５ａが通常ポジションにあるときの状態を示す。記録部５において記録ヘッド７により被記録材に記録するとき、キャリッジ５０の主走査方向の位置を確定する必要がある。このために、先ず、キャリッジ５０を図１０中の左方向へ移動させ、切替部材５８３の図示左側端部５８３ａをシャーシ１１の側面に突き当てる。この突き当て動作によってキャリッジ５０の初期位置を確定させる。この状態では、切替部材５８３は、主走査方向ではキャリッジ５０の一部に当接して位置規制されており、それ以上図１０中の矢印Ａ方向に移動することはない。
【００４７】
本実施形態では、上述のように、キャリッジ５０の初期位置出しを切替部材５８３を突き当てることによって行っている。これに代えて、切替部材５８３が所定量移動したところで、キャリッジ５０の端部をシャーシ１１に突き当てることにより初期位置出しを行う構成としても良い。この構成によれば、初期位置出しの際に介在する部品数を減らすことにより、より正確な位置出しを実現することができる。このような通常ポジションの状態で、厚さが一定以下の通常の被記録材に対する通常の記録動作が行われる。
【００４８】
これに対し、厚紙やカールしやすい材質の被記録材に記録を行う場合には、記録ヘッド７とプラテン３４との間の距離である紙間距離を拡大させる必要がある。そのためには、キャリッジ５０をガイド部材５２に当接した通常ポジションより高い位置に切り替える必要がある。このときのキャリッジ５０の位置を上述したように厚紙ポジションと称する。図１０及び図１２のような通常ポジションでは、キャリッジユニット５ａは、自重によって、その高さ方向摺動面５０ｂの部位でガイドレール５２に当接している。このとき、摺動部材５８は、前述のように、バネ５８２によって上向きに付勢されることで上方位置に位置決めされている。このため、摺動部材５８の高さ方向摺動面５８ｂはガイドレール５２の上方に位置し接触していない。
【００４９】
切替部材５８３は、相対的な移動方向の位置を規制されることで、キャリッジ５０に対する摺動部材５８の上下方向の相対位置を変化させるものである。この切替部材５８３の一部に形成された上向き面５８３ｆはキャリッジ５０の一部に形成された下向き面５０ｆと当接している。つまり、キャリッジ５０は、キャリッジ５０に形成された受け面５０ｆと切替部材５８３に形成されたキャリッジ支持面５８３ｆとを介して、切替部材５８３によって支持されている。従って、切替部材５８３とキャリッジ５０との上下方向の相対位置は変化しない。一方、切替部材５８３の下向き面にはカム面５８３ｅが形成されており、摺動部材５８の上向き面にはこのカム面５８３ｅに当接する突起状の当接部５８ｅが形成されている。切替部材５８３を相対的に移動させて当接部５８ｅのカム面５８３ｅ上の当接位置を変化させることにより、キャリッジ５０に対する摺動部材５８の上下方向の相対位置を変化させることができる。このように相対位置が変化する場合でも、キャリッジ５０と摺動部材５８との間に作用するバネ付勢力によって安定した状態で位置規制される。
【００５０】
以上の構成において、厚紙ポジションで記録するときは、キャリッジユニット５ａを図１０及び図１１中の右方向へ移動させる。これにより、切替部材５８３の右側の端部５８３ｂをシャーシ１１の側面に突き当てる。この突き当てによって、切替部材５８３は、図１１中の矢印Ｂの方向に移動を開始する。すると、摺動部材５８は、切替部材５８３に設けられたカム面５８３ｅによって、図１１及び図１３中の矢印Ｅの方向に移動する。つまり、摺動部材５８がキャリッジ５０に対して相対的に下方へ変位する。摺動部材の摺動面５８ｂがキャリッジの摺動面５０ｂより下方に位置するようになる。このため、摺動部材５８の摺動面５８ｂがガイドレール５２に当接することになり、キャリッジ５０は反対にガイドレール５２から上方へ離間する位置へ変位させられる。すなわち、摺動部材５８は、キャリッジ５０に対して突出した第２の位置に移動する。この際、摺動部材５８は切替部材５８３のカム面５８３ｅによってさらに下方へ変位しようとするが、この下向き変位はガイドレール５２との当接によって阻止される。
【００５１】
すなわち、摺動部材５８の摺動面５８ｅがガイドレール５２に当接することで、ガイドレール５２からの反力がカム面５８３ｅを介して切替部材５８３へ伝達され、さらに切替部材５８３を介して上方位置を規制しているキャリッジ５０へ伝達される。これによって、キャリッジ５０は、図１１及び図１３中の矢印Ｆで示す上向き方向へ変位していく。この状態まで切替部材５８３の端部５８３ｂがシャーシ１１の側面によって矢印Ｂ方向に押し込まれると、切替部材５８３は、その一部がキャリッジ５０に突き当たることで、それ以上は移動しない。この状態が、記録ヘッド７とプラテン３４との紙間距離を拡大させた厚紙ポジションの状態となる。
【００５２】
この厚紙ポジションでは、キャリッジ５０が通常ポジションから上方へ移動したことから、キャリッジ５０の高さ方向摺動面５０ｂはガイドレール５２から離間している。そして、キャリッジ５０の高さ方向の位置は、摺動部材５８の高さ方向摺動面５８ｂによって規制されることになる。この状態で、キャリッジユニット５ａを主走査方向に走査させながら、電気部９からの信号に基づいて記録ヘッド７からインクを吐出することにより、封筒等の厚手の被記録材へインクを吐出して画像を形成する。
【００５３】
本実施形態では、切替部材５８３をキャリッジ移動方向に相対的に移動させることにより摺動部材５８の高さ位置を切り替えるように構成されている。これは、切替部材５８３を省略し、ユーザーの手動操作でキャリッジユニット５ａを動かすことによって通常ポジションから厚紙ポジションへ切り替えるように構成しても良いまた、通常ポジション及び厚紙ポジションの切り替えは、摺動部材５８を手動操作することによっても実現できる。こうすることで、切替部材５８３を省略して部品点数の削減と部品間の精度向上を図ることができる。
【００５４】
以上説明した実施形態によれば、キャリッジ５０の初期位置出しのためにシャーシ１１の一方の側面にキャリッジ５０又は切替部材５８３を突き当てるように構成されている。これにより、キャリッジユニット５ａを通常ポジションに設定することができる。また、キャリッジ５０をシャーシ１１の反対側の側面に突き当てることで、キャリッジユニット５ａを厚紙ポジションに設定することができる。つまり、記録開始時に行われる記録ヘッド７の初期位置出しを利用して、キャリッジユニット５ａを必ず通常ポジションに設定することができる。このため、センサや駆動機構を追加することなく、安価な構成で紙間距離の設定を確定させることができる。
【００５５】
これにより、キャリッジユニット５ａの高さ位置が重要な各種動作を安定して実行することができる。すなわち、記録ヘッド７の適正な紙間距離設定による記録画像の品位保持のみならず、回復処理部６におけるキャップ６１のキャッピング動作やワイパー６２による拭き取り清掃などの回復動作も安定して実行することができる。また、光沢紙などの通常ポジションで記録すべき被記録材に、厚紙ポジションのまま記録することで画像品位が低下することを防止することができる。また、本実施形態では、通常ポジションのときはキャリッジ５０の高さ方向摺動面５０ｂがガイドレール５２と摺動し、厚紙ポジションのときは摺動部材５８の高さ方向摺動面５８ｂがガイドレール５２と摺動する。かかる構成によれば、記録品位を求められる通常ポジションでは、直接キャリッジ５０が摺動することになり、介在する部品の増加による精度の低下を回避することができる。
【００５６】
また、本実施形態によれば、ドライバ上で選択された被記録材の紙種やサイズによって紙間距離を切り替えることができる。これにより、紙間距離の切り替えが必要な場合にのみ、自動で紙間距離を切り替えることができる。さらに、本実施形態によれば、キャリッジユニット５ａの高さ方向の変位は平行移動のみで行われる。従って、記録ヘッド７とプラテン３４との紙間距離を、被記録材の記録面に対してキャリッジ５０（記録ヘッド７）の姿勢を傾けることなく、互いの平行を保ったままキャリッジの高さ位置を切り替えることができる。このため、紙間距離を切り替えたときの画像記録の品位低下を確実に防止でき、一層高品位な画像記録が可能となる。
【００５７】
次に、本実施形態の記録ヘッドの回復動作について説明する。
【００５８】
インク吸収、あるいは吐出面のワイピング動作といった回復動作を安定的に実行するには、規制部距離を狭くしておく必要がある。換言すれば、厚紙ポジションにして紙間距離を大きくする必要がある。
【００５９】
規制部距離を狭くしておく必要性の一因であるキャリッジの傾きとキャッピングとの関係について図１４及び図１５を用いて説明する。
【００６０】
図１４、図１５は、記録ヘッドをキャッピングした状態を示す正面図と側面図の概略図である。
【００６１】
図１４（ａ）は、インクタンクがインクで十分満たされているときのキャリッジ５０を示している。図１４（ｂ）は、インクが消費されたときのキャリッジ５０を示している。
【００６２】
図１４（ａ）に示すように、インクタンクがインクで十分満たされているときは、キャリッジ５０の重心Ｗと、キャップ６０の位置はバランスよく釣り合っている。また、ガイドレール５２とキャリッジ５０の規制部２６との隙間も、釣り合う、若しくは、左右の規制部２６がレール下面側に突き当たった状態である。このため、キャップバネ７４による付勢力はキャップ６０に対して均等に作用するので、キャップ６０による確実なキャッピングがなされる。
【００６３】
一方、図１４（ｂ）に示すように、インクを吐出して記録を継続するうちにインクの容量が片減りしたような場合、キャリッジ５０としての重心Ｗは片側にずれた状態になる。この場合、キャリッジ５０とその支持部であるガイドレール５２との摩擦等の影響により、キャリッジ５０は傾いた状態でキャッピングされることになる。すると、キャップ６０は弾性部材であるため、キャップ６０を記録ヘッドへ当接するためのバネ力の均一性も崩れることになり、記録ヘッドと、キャップ６０を均一に当接しにくくなり、キャッピング性能を満足できなくなるおそれが生じる。
【００６４】
キャリッジ５０の傾斜を防止することでキャッピング性能を改善するためにはキャップバネ７４の作用力を強くすることが考えられる。しかしながら、キャッピング時におけるキャップバネ７４の作用力を強くすると、回復処理部６の駆動力を大きくする必要性があり、モータ６０のトルクアップや、回復処理部６全体の剛性を上げることも必要となる。よって、コストの面及び装置の小型化といった点からはキャップバネ７４の強化は好ましくない。
【００６５】
ここで、キャリッジ部１９の規制部２６とガイドレール５２との隙間（規制部距離）とキャリッジ５０との関係について図１５を参照しながら説明する。
【００６６】
図１５（ａ）は規制部距離Ｘが小さい状態を示し、図１５（ｂ）は図１５（ａ）に比べて規制部距離Ｘが大きい状態を示している。なお、本明細書においては、上述したように、規制部距離Ｘが大きい状態を第１の距離と称し、規制部距離Ｘが第１の距離よりも小さい状態を第２の距離と称することもある。これからわかるように、規制部距離が広いほど、キャリッジ５０の傾きは大きくなってしまう。このように、キャッピングの性能を向上させるためには、規制部距離を狭くした状態（厚紙ポジション）でキャッピングを行うことが望ましいことが分かる。
【００６７】
また、ワイピングについても同様にワイパー６２を吐出面に均等に接触させる必要がある。このためにも規制部距離を小さくしておきキャリッジ５０の傾きを抑制した状態とすることが好ましい。
【００６８】
次に、本実施形態のインクジェット記録装置における回復動作実行時の制御フローを説明する。図１６に記録ヘッドの回復動作実行時のフローチャートを示す。
【００６９】
メンテナンス実行の処理が開始される（ステップＳ１）と、まず、キャッピング状態か否かが制御部２００にて判断される（ステップＳ２）。キャッピングは、規制部距離が小さい第２の距離である状態、すなわち、紙間距離が大きい状態で実行されている。このため、キャッピング状態かどうかを判断することで規制部距離が小さい（＝紙間距離が大きい）かどうかを判断できるためである。
【００７０】
キャッピング状態であると判断した場合、規制部距離が小さい（＝紙間距離が大きい）と判断し、吸引動作を開始する（ステップＳ７）。
【００７１】
一方、キャッピング状態でないと判断した場合、紙間距離が大きいか、紙間距離が小さいか制御部２００にて判断される（ステップＳ３）。
【００７２】
紙間距離が大きく規制部距離が小さいと判断した場合、規制部距離の切り替えシーケンスが実行される（ステップＳ４）。すなわち、規制部距離が大きい状態から規制部距離が小さい状態へと切り替えるため、キャリッジユニット５ａを図１０及び図１１中の右方向へ移動させる。これにより、切替部材５８３の右側の端部５８３ｂをシャーシ１１に突き当てて規制部距離が小さい状態へと切り替える。
【００７３】
ステップＳ４にて規制部距離が小さい状態へと切り替えられると、キャリッジユニット５ａはキャッピングを実行する位置まで移動する（ステップＳ５）。
【００７４】
また、ステップＳ３にて規制部距離が狭い（＝紙間距離が大きい）状態であると判断された場合も、キャリッジユニット５ａはキャッピングを実行する位置まで移動する（ステップＳ５）。
【００７５】
当該位置まで移動した後、キャッピングがなされる（ステップＳ６）。次いで、吸引動作（ステップＳ７）、インク排出動作（ステップＳ８）、ワイピング動作（ステップＳ９）が順次実行された後、メンテナンス動作を終了する（ステップＳ１０）。
【００７６】
次に、本実施形態のインクジェット記録装置における記録動作実行時の制御フローを説明する。図１７（ａ）に記録動作実行時のフローチャートを示す。
【００７７】
記録開始命令がなされる（ステップＳ１１）と、まず、紙間距離の設定が適切か否かが制御部２００にて判断される（ステップＳ１２）。
【００７８】
選択された記録媒体が普通紙であるのに対して紙間距離が小さい場合、あるいは厚紙に対して紙間距離が大きい場合には、紙間設定は適切であると判断される。この場合、続いて給紙動作が実行される（ステップＳ１４）。
【００７９】
一方、これとは逆に選択された記録媒体が普通紙であるのに対して紙間距離が大きい場合、あるいは厚紙に対して紙間距離が小さい場合には、紙間設定は不適切であると判断される。この場合、紙間距離を適切にすべく、紙間距離切り替えシーケンスが実行される（ステップＳ１３）。
【００８０】
紙間距離を小さい状態から紙間距離が大きい状態へと切り替える場合、キャリッジユニット５ａを図１０及び図１１中の右方向へ移動させる。これにより、紙間距離を大きい状態へと切り替える。
【００８１】
一方、紙間距離を大きい状態から紙間距離が小さい状態へと切り替える場合、キャリッジユニット５ａを図１０及び図１１中の左方向へ移動させる。これにより、紙間距離を小さい状態へと切り替える。
【００８２】
紙間距離が適切に設定されると、給紙動作が実行され（ステップＳ１４）、記録動作が開始される（ステップＳ１５）。所定の記録が行われた後、記録動作を終了する（ステップＳ１６）。
【００８３】
次に、本実施形態のインクジェット記録装置におけるキャッピング動作実行時の制御フローを説明する。図１７（ｂ）にキャッピング動作実行時のフローチャートを示す。
【００８４】
キャッピング命令がなされる（ステップＳ２１）と、まず、規制部距離が小さいか否かが制御部２００にて判断される（ステップＳ２２）。
【００８５】
規制部距離が狭いと判断された場合、キャリッジユニット５ａはキャッピング位置まで移動する（ステップＳ２４）。
【００８６】
一方、規制部距離が大きいと判断された場合、規制部距離を切り替えるシーケンスが実行される（ステップＳ２３）。規制部距離を大きい状態から規制部距離が小さい状態へと切り替える場合、キャリッジユニット５ａを図１０及び図１１中の右方向へ移動させる。これにより、規制部距離が狭い状態へと切り替える。
【００８７】
規制部距離が小さい状態に切り替えられるとキャリッジユニット５ａはキャッピング位置まで移動する（ステップＳ２４）。
【００８８】
その後、キャッピングが実行され（ステップＳ２５）、キャッピング動作を終了する（ステップＳ２６）。
【００８９】
以上の説明では、ガイドレール５２が板金で構成された記録装置に本発明が適用可能であるとして説明してきた。しかしながら、本発明はガイドレール５２が板金からなるものではなく軸部材からなるものであっても図１８及び図１９に示す構成とすれば適用可能である。
【００９０】
図１８にキャリッジ支持部材にガイド軸を用いた構成を示すキャリッジの上方斜視図を示す。また、図１９にキャリッジ支持部材にガイド軸を用いた構成を示すキャリッジの側面図を示す。
【００９１】
ガイド軸１２はキャリッジ５０を図１９中の矢印で示す二点で支持している。この構成の場合、規制部距離は規制部２６とガイド軸１２の下部となる。キャリッジ５０は、貫通孔を設け、この貫通孔にガイド軸１２が挿通した構成ではなく、上記二点で支持した構成としているため、被記録材に対して垂直方向に移動可能である。すなわち、ガイド軸で支持する構成であったとしても、キャリッジ５０が被記録材に対して垂直方向に移動可能な構成であれば、どのような構成であっても本発明を適用することができる。
【００９２】
なお、以上の実施形態では、記録ヘッドからインクを吐出して記録するインクジェット記録装置を例に挙げて説明した。本発明は、これに限定されるものではなく、記録ヘッドと被記録材とが離間した状態で記録を行う記録装置であれば、その他の記録方式の記録装置に対しても同様に適用可能なものである。また、本発明は、記録ヘッドの数や配置構成に関わらず同様に適用可能であり、インクジェット記録装置の場合、さらに使用するインクの種類や性状等に関わらず同様に適用可能である。さらに、本発明は、プリンタ、複写機、ファクシミリ、撮像画像形成装置などの単体装置に限定されるものではない。つまり、本発明は、これらを組み合わせた複合装置、あるいはコンピュータシステムなどの複合装置における記録装置としても広く適用可能である。被記録材についても、本発明は、紙、布、プラスチックシート、ＯＨＰ用シート、封筒など、画像を記録できるものであれば、材質や形態に関わらず使用することができる。
【図面の簡単な説明】
【００９３】
【図１】本発明による記録装置の一実施形態の斜視図である。
【図２】本発明による記録装置の一実施形態の縦断面図である。
【図３】図２中のキャリッジユニットの側面図である。
【図４】図３のキャリッジユニットの後面図である。
【図５】図３中のキャリッジと摺動部材の斜視図である。
【図６】回復処理部の斜視図である。
【図７】回復処理部の斜視図である。
【図８】回復動作における制御系の制御ブロック図である。
【図９】図３中のキャリッジと摺動部材と切替部材の斜視図である。
【図１０】紙間距離を小さくしたときの背面図である。
【図１１】紙間距離を大きくしたときの背面図である。
【図１２】紙間距離を小さくしたときの側面図である。
【図１３】紙間距離を大きくしたときの側面図である。
【図１４】記録ヘッドをキャッピングした状態を示す正面図の概略図である。
【図１５】記録ヘッドをキャッピングした状態を示す側面図の概略図である。
【図１６】記録ヘッドの回復動作実行時のフローチャートである。
【図１７】記録動作実行時及びキャッピング時のフローチャートである。
【図１８】キャリッジ支持部材にガイド軸を用いた構成を示すキャリッジの上方斜視図である。
【図１９】キャリッジ支持部材にガイド軸を用いた構成を示すキャリッジの側面図である。
【符号の説明】
【００９４】
１  記録装置
７  記録ヘッド
２６  規制部
５０  キャリッジ
５２  ガイド部材（ガイドレール）
５８  摺動部材
５８３  切替部材
【図１】
0005127580.tif 000002
【図２】
0005127580.tif 000003
【図３】
0005127580.tif 000004
【図４】
0005127580.tif 000005
【図５】
0005127580.tif 000006
【図６】
0005127580.tif 000007
【図７】
0005127580.tif 000008
【図８】
0005127580.tif 000009
【図９】
0005127580.tif 000010
【図１０】
0005127580.tif 000011
【図１１】
0005127580.tif 000012
【図１２】
0005127580.tif 000013
【図１３】
0005127580.tif 000014
【図１４】
0005127580.tif 000015
【図１５】
0005127580.tif 000016
【図１６】
0005127580.tif 000017
【図１７】
0005127580.tif 000018
【図１８】
0005127580.tif 000019
【図１９】
0005127580.tif 000020